(57)【要約】      （修正有）【課題】上下が断面円弧状となって前後にラックを有する長尺重量貨物をフォークリフトで運搬する際に使用する搬送治具を提供する。【解決手段】搬送治具１０は、フォークリフトの爪の挿入部１７、１８及び挿入された爪の前後移動を止める固定部を左右に有するベースフレーム２１と、挿入部１７、１８の上面の前後方向の中間位置に設けられ、後側のラック１２を載せてベースフレーム２１上で長尺重量貨物１３を位置決めするストッパー２２、２３と、挿入部１７、１８の中間位置で、ストッパー２２、２３より後方に立設された支持部材２４と、支持部材の取付け手段２５の上部に回動可能に軸支された押えアーム２６と、押えアームの先側に設けられ、長尺重量貨物１３の上側面を前後から押圧保持する第１、第２の保持部材２７、２８と、長尺重量貨物を保持した状態の押えアーム２６を固定保持する固定手段２９とを有する。【選択図】図３
0003202445.tif 000002
【実用新案登録請求の範囲】
【請求項１】
上下が断面円弧状となって前後にラックを有する長尺重量貨物を、フォークリフトで搬送する場合に使用する搬送治具であって、
前記フォークリフトの対となる爪の挿入部及び挿入された該爪の前後移動を止める固定部を左右に有するベースフレームと、
左右の前記挿入部の上面における前後方向の中間位置にそれぞれ設けられ、後側の前記ラックを載せて前記ベースフレーム上で前記長尺重量貨物を位置決めする対となるストッパーと、
左右の前記挿入部の中間位置で、前記ストッパーより後方に立設された支持部材と、
前記支持部材に設けた取付け手段の上部に回動可能に軸支された押えアームと、
前記押えアームの先側に設けられ、前記長尺重量貨物の上側面を前後から押圧する第１、第２の保持部材と、
前記第１、第２の保持部材が前記長尺重量貨物を保持した状態で前記押えアームを固定保持する固定手段とを有することを特徴とする搬送治具。
【請求項２】
請求項１記載の搬送治具において、前記ストッパーは、前記長尺重量貨物の断面寸法に応じて前後方向の位置が調節可能となっていることを特徴とする搬送治具。
【請求項３】
請求項１又は２記載の搬送治具において、前記取付け手段の前記ベースフレームに対する高さ位置は、前記長尺重量貨物の断面寸法に応じて調節可能となっていることを特徴とする搬送治具。
【請求項４】
請求項１〜３のいずれか１項に記載の搬送治具において、前記固定手段は、前記取付け手段の下部に前方に向けて突出して設けられた水平部材と、該水平部材の先側に一側が回動可能に取付けられ、回動して垂直状態となった他側が前記押えアームの基側に可動性締結機構を介して掛止されるボルト部材とを有し、該可動性締結機構は、回動して垂直状態となった該ボルト部材の他側が挿通する上下両側にそれぞれ平座金が配置された圧縮ばねと、該圧縮ばねの上側に配置された該平座金に当接する球面座を備えたナット部材とを有していることを特徴とする搬送治具。
【考案の詳細な説明】
【技術分野】
【０００１】
本考案は、搬送時に上下が断面円弧状となって、進行方向の前後にラックを有する長尺重量貨物を、フォークリフトで搬送する場合に使用する搬送治具に関する。
【背景技術】
【０００２】
コイル等の断面が円形状の重量物を荷台に載置して搬送する場合、搬送時に重量物が荷台上で転がるのを防止するため、荷台と重量物との間に形成される隙間に、例えば、木材等から作製した回り止めを設置することが行われている（例えば、特許文献１参照）。
【先行技術文献】
【特許文献】
【０００３】
【特許文献１】特開２００９−２３４６０８号公報
【考案の概要】
【考案が解決しようとする課題】
【０００４】
ここで、荷台上において、荷台と重量物との間に形成される隙間の位置に予め回り止めを配置しておくと、荷台に載置された重量物により回り止めが荷台に押圧されて固定されることになって、重量物を荷台に積載して直ちに運搬を開始することができる。また、回り止めは重量物に当接しているだけなので、重量物が目的地に到着すると直ちに荷下ろしを開始することができる。しかし、回り止めは、荷台にも、重量物にも固定されていないため、運搬中あるいは減速時に発生する慣性力や振動等により、回り止めが荷台と重量物との隙間から脱落する虞が高いという問題がある。
一方、荷台と重量物との隙間に回り止めを押し込んで固定部材で固定する場合、運搬中あるいは減速時に回り止めが脱落することは防止できる。しかし、固定部材の取付けに時間を要するため、重量物を荷台に積載してから運搬を開始するまでの時間が長くなり、固定部材の取外しに時間を要するため、重量物が目的地に到着してから荷下ろしが完了するまでの時間が長くなるという問題が生じる。また、重量物を荷台に積載する作業スペース、重量物を荷下ろしする作業スペースが十分に確保できない場合は、固定部材の取付け、取外しに要する時間が更に長くなるという問題がある。
【０００５】
本考案はかかる事情に鑑みてなされたもので、運搬時に上下が断面円弧状となって、進行方向の前後にラックを有する長尺重量貨物を、フォークリフトで運搬する場合に、フォークリフト及び長尺重量貨物に対する着脱がそれぞれ容易であると共に、運搬中、停止時、及び荷下ろし中に長尺重量貨物の脱落を防止することが可能な搬送治具を提供することを目的とする。
【課題を解決するための手段】
【０００６】
前記目的に沿う本考案に係る搬送治具は、上下が断面円弧状となって前後にラックを有する長尺重量貨物を、フォークリフトで搬送する場合に使用する搬送治具であって、
前記フォークリフトの対となる爪の挿入部及び挿入された該爪の前後移動を止める固定部を左右に有するベースフレームと、
左右の前記挿入部の上面における前後方向の中間位置にそれぞれ設けられ、後側の前記ラックを載せて前記ベースフレーム上で前記長尺重量貨物を位置決めする対となるストッパーと、
左右の前記挿入部の中間位置で、前記ストッパーより後方に立設された支持部材と、
前記支持部材に設けた取付け手段の上部に回動可能に軸支された押えアームと、
前記押えアームの先側に設けられ、前記長尺重量貨物の上側面を前後から押圧する第１、第２の保持部材と、
前記第１、第２の保持部材が前記長尺重量貨物を保持した状態で前記押えアームを固定保持する固定手段とを有している。
【考案の効果】
【０００７】
本考案に係る搬送治具においては、左右にそれぞれ、フォークリフトの対となる爪の挿入部と、挿入された爪の前後移動を止める固定部を有するベースフレームを備えているので、フォークリフト（爪）に対する着脱が容易であると共に、運搬中、停止時、及び荷下ろし中に長尺重量貨物の脱落を防止することができる。
また、回動可能に軸支され、長尺重量貨物の上側面を前後から押圧する第１、第２の保持部材が設けられた押えアームと、長尺重量貨物を保持した状態の押えアームを固定保持する固定手段が設けられているので、長尺重量貨物をベースフレーム上に保持して直ちに運搬することができると共に、運搬中及び停止時に長尺重量貨物がベースフレーム上で転がり、脱落するのを防止できる。
更に、固定手段による押えアームの固定保持を解除し、押えアームを回動させることにより、長尺重量貨物の保持状態を容易に解除できるので、長尺重量貨物が目的地に到着してから荷下ろしが完了するまでに要する時間を短縮することができる。その結果、長尺重量貨物の搬送効率を向上させることが可能になる。
従って、この搬送治具を用いて長尺重量貨物を荷台に載せて搬送することもできる。
【図面の簡単な説明】
【０００８】
【図１】（Ａ）、（Ｂ）はそれぞれ本考案の一実施の形態に係る搬送治具を使用してフォークリフトで長尺重量貨物の搬送を行う場合を示す正面図、側面図である。
【図２】同搬送治具を使用してフォークリフトで長尺重量貨物を搬送を行う場合を示す平面図である。
【図３】（Ａ）、（Ｂ）はそれぞれ同搬送治具の正面図、側面図である。
【図４】同搬送治具の平面図である。
【図５】同搬送治具の固定手段の説明図である。
【考案を実施するための形態】
【０００９】
続いて、添付した図面を参照しつつ、本考案を具体化した実施の形態につき説明し、本考案の理解に供する。
図１（Ａ）、（Ｂ）、図２に示すように、本考案の一実施の形態に係る搬送治具１０は、搬送時に上下が断面円弧状となって、進行方向の前後にラック１１、１２を有する長尺重量貨物（油井掘削用のランク＆コード）１３を、フォークリフト１４で搬送する場合に使用するものである。ここで、長尺重量貨物１３の長手方向に沿った複数個所にはそれぞれ、長尺重量貨物１３を一定高さ位置に保持して積み付けるための据付け台（図示せず）が取付けられている。
なお、長尺重量貨物の搬送時の安定性を確保するため、長尺重量貨物の長さに応じて、例えば、図１、図２に示すように２台のフォークリフト１４を用いて長尺重量貨物１３を搬送したり、長尺重量貨物の中央部を１台のフォークリフトで支持して搬送する場合がある。以下、詳細に説明する。
【００１０】
図３（Ａ）、（Ｂ）、図４に示すように、搬送治具１０は、フォークリフト１４の対となる爪１５、１６が挿入される挿入部１７、１８及び挿入された爪１５、１６の前後移動を止める固定部１９、２０を左右に有するベースフレーム２１と、左右の挿入部１７、１８の上面における前後方向の中間位置にそれぞれ設けられ、後側のラック１２を載せてベースフレーム２１上で長尺重量貨物１３を位置決めする対となるストッパー２２、２３と、左右の挿入部１７、１８の中間位置で、ストッパー２２、２３より後方に立設された支持部材２４と、支持部材２４に設けた取付け手段２５の上部に回動可能に軸支された押えアーム２６と、押えアーム２６の先側に設けられ、長尺重量貨物１３の上側面を前後から押圧する第１、第２の保持部材２７、２８と、第１、第２の保持部材２７、２８が長尺重量貨物１３を保持した状態で押えアーム２６を固定保持する固定手段２９とを有している。
【００１１】
フォークリフト１４の対となる爪１５、１６は、長手方向をフォークリフト１４の進行方向に向けて距離を設けて平行配置され、上面が平板状となって長尺重量貨物１３を載せる（長尺重量貨物１３の下面に当接して支持する）載置部材１５ａ、１６ａと、載置部材１５ａ、１６ａの基部に対して先側を上方に向けて垂直に取付けられた取付け部材１５ｂ、１６ｂとを有している。なお、取付け部材１５ｂ、１６ｂは、フォークリフト１４のマスト３０に沿って昇降するバックレスト３１（図１（Ｂ）参照）に保持されている。
【００１２】
このため、フォークリフト１４の対となる爪１５、１６、具体的には載置部材１５ａ、１６ａを挿入する挿入部１７、１８は、例えば、載置部材１５ａ、１６ａが挿入可能なように上面が平板状で先側が開封された鞘形状となっている。また、挿入された爪１５、１６、具体的には取付け部材１５ｂ、１６ｂの前後移動を止める固定部１９、２０は、挿入部１７、１８の基側の上面に設けられ、挿入された爪１５、１６の取付け部材１５ｂ、１６ｂの基側前面に当接する爪ストッパー３２と、挿入部１７、１８の基側の両側部にそれぞれ取付けられた支持板材３３に両側が支持され、挿入された爪１５、１６の取付け部材１５ｂ、１６ｂの基側後面に当接する爪ストッパーピン３４とを有している。
そして、ベースフレーム２１は、左右の挿入部１７、１８の先側同士及び基側同士をそれぞれ接続する第１、第２の連結部材３５、３６を有している。これによって、ベースフレーム２１を枠体状にして、長尺重量貨物１３を載置した際のベースフレーム２１の変形を小さくすることができる。
【００１３】
挿入部１７、１８を先側が開封された鞘形状とすることにより、載置部材１５ａ、１６ａの長さが変化しても、挿入された爪１５、１６の取付け部材１５ｂ、１６ｂの基側前面を確実に爪ストッパー３２に当接させることができ、挿入部１７、１８に挿入した爪１５、１６の位置決めを行うことができる。そして、爪１５、１６を挿入部１７、１８に挿入した後、挿入部１７、１８の基側の両側部にそれぞれ取付けられた支持板材３３に爪ストッパーピン３４を挿通することにより、挿入された爪１５、１６の取付け部材１５ｂ、１６ｂの基側後面に爪ストッパーピン３４を当接させることができ、挿入部１７、１８に挿入した爪１５、１６がずれる（抜ける）ことを防止できる。
【００１４】
ストッパー２２、２３は、挿入部１７、１８の上面の前後方向の中間位置にそれぞれ設けられたベース材３７と、ベース材３７の前後方向の中央部に設けられ、ベースフレーム２１上に載置された長尺重量貨物１３の後側のラック１２の下面に当接して長尺重量貨物１３が後側に転がるのを防止する水平配置された載置部３８と、ベース材３７の後側に載置部３８と連接して垂直方向に設けられ、載置部３８に載った後側のラック１２の後端面に当接して長尺重量貨物１３のベースフレーム２１上での前後方向位置を決める位置決め部３９とを有している。
そして、載置部３８は、ベース材３７の前後方向の中央部にそれぞれ設けられた載置台４０と、載置台４０とラック１２の下面との間に配置される平板状の第１の緩衝材４１（例えば、木材）とを有し、位置決め部３９は、ベース材３７の後側に立設された支持台４２と、支持台４２の前側面の上側に取付けられた平板状の第２の緩衝材４３（例えば、ＭＣナイロン）とを有している。
【００１５】
ここで、ストッパー２２、２３のベース材３７は、長尺重量貨物１３の断面寸法に応じて、挿入部１７、１８の上面における前後方向の取付け位置が段階的に調節可能となっている。また、第１、第２の緩衝材４１、４３の厚みも、長尺重量貨物１３の断面寸法に応じて調節可能となっている。更に、第１の緩衝材４１の高さ位置を調節するため、載置台４０の上面と第１の緩衝材４１の下面との間には厚みが調節された薄板を挿入することができ、第２の緩衝材４３の前後方向位置を調節するため、支持台４２の前側面と第２の緩衝材４３の後面との間に厚みが調節された薄板を挿入することができる。このような構成とすることにより、長尺重量貨物１３の断面寸法が変化しても、長尺重量貨物１３をベースフレーム２１上に位置決めして載置することが可能になる。
【００１６】
支持部材２４は、左右の挿入部１７、１８の中間位置で、ストッパー２２、２３より後方、例えば、挿入部１７、１８の基側同士を接続する第２の連結部材３６の上面の中央部に立設され、押えアーム２６は、支持部材２４に設けた取付け手段２５の上部に回動可能に軸支されている。ここで、支持部材２４は、第２の連結部材３６の上面の長手方向の中央部の両側に配置された、平面視して矩形状の第１、第２の柱材４４、４５を有している。また、取付け手段２５は、第１の柱材４４の高さ方向の中間位置に設けられた第１の取付け部４６と、第２の柱材４５の高さ方向の中間位置（第１の取付け部４６と同一高さ位置）に設けられた第２の取付け部４７とを有している。そして、押えアーム２６の基側を軸支する回動軸４８の両側は、第１、第２の取付け部４６、４７に支持されている。
なお、取付け手段２５の第１、第２の取付け部４６、４７は、長尺重量貨物１３の断面寸法に応じて、ベースフレーム２１に対する高さ位置（第１、第２の柱材４４、４５に対する取付け高さ位置）が段階的に調節可能となっている。これによって、長尺重量貨物１３の断面寸法の変化に応じて、押えアーム２６の基側を軸支する回動軸４８の高さ位置を調節することができる。
【００１７】
押えアーム２６の先側下面には、長尺重量貨物１３の上側面に対して押えアーム２６が上方から回動した際に、長尺重量貨物１３の上側面を前後からそれぞれ押圧する第１、第２の保持部材２７、２８が設けられている。そして、第１の保持部材２７は、押えアーム２６の先端部下面に下方に向けて突設され、前方に向けて下り傾斜（例えば、４５度）した取付け部が形成された保持台４９と、取付け部に固定された平板状の当接部５０とを有し、第２の保持部材２８は、押えアーム２６の長手方向の中央部より先側下面に下方に向けて突設され、前方に向けて上り傾斜（例えば、４５度）した取付け部が形成された保持台５１と、取付け部に固定された平板状の当接部５２とを有している。
【００１８】
ここで、符号５３は第１、第２の柱材４４、４５の上端部同士を接続して一体化する連結台、符号５４は連結台５３に取付けられた手巻きウインチ、符号５５は手巻きウインチ５４に装着されたワイヤ、符号５６はワイヤ５５を押えアーム２６に固定するためのフックである。また、符号５７は手巻きウインチ５４によりワイヤ５５が巻き上げられて押えアーム２６が上方に向けて回動した状態を保持する固定ピン、符号５８、５９はそれぞれ、固定ピン５７を掛止する押えアーム側掛止部、支持部材側掛止部である。
【００１９】
図５に示すように、押えアーム２６に設けられた第１、第２の保持部材２７、２８が長尺重量貨物１３を保持した状態で押えアーム２６を固定保持する固定手段２９は、取付け手段２５の下部に前方に向けて突出して設けられた水平部材６０と、水平部材６０の先側に一側が回動可能に取付けられ、回動して垂直状態となった他側が押えアーム２６の基側の下面側に可動性締結機構６１を介して掛止されるボルト部材６２とを有している。ここで、ボルト部材６２の一側は、水平部材６０の上面の先側に設けられた掛止部６３に、軸方向を前後方向に向けたピン６４を介して取付けられている。また、押えアーム２６の基側の幅方向（左右方向）の両側部には、それぞれ外側に開口する切欠き６５が形成され、回動したボルト部材６２の先側が挿入可能になっている。
【００２０】
可動性締結機構６１は、回動して垂直状態となったボルト部材６２の他側（上側）が挿通する上下両側にそれぞれ平座金６６、６７が配置された圧縮ばね６８と、圧縮ばね６８の上側に配置された平座金６７に当接する球面座６９を備えたナット部材７０とを有している。ここで、ナット部材７０の側部には、中心を挟んで半径方向外側に突出する対となるレバー７１、７２が設けられている。
このような構成とすることにより、ナット部材７０をボルト部材６２の他側に螺号させて圧縮ばね６８を押圧することにより生じる圧縮ばね６８の圧縮代に比例した弾性押圧力で押えアーム２６を長尺重量貨物１３の上側面に押付けることができる。その結果、第１、第２の保持部材２７、２８で長尺重量貨物１３を保持することができ、フォークリフト１４を用いた運搬中、停止時、及び荷下ろし中に長尺重量貨物１３がベースフレーム２１上で転がり、脱落するのを防止できる。
また、フォークリフト１４でベースフレーム２１を下降させて長尺重量貨物１３に取付けた据付け台を接地させる際、据付け台に加わる接地反力が据付け台を介して長尺重量貨物１３に作用して押えアーム２６が上方に跳ね上げられても、押えアーム２６の跳ね上がりは圧縮ばね６８に吸収されるため、ナット部材７０に過大な荷重が作用することを防止できる。その結果、ボルト部材６２とナット部材７０の各ねじ部の変形が防止され、ナット部材７０のボルト部材６２からの取り外しが容易にできる。
【００２１】
続いて、本考案の一実施の形態に係る搬送治具１０の作用について説明する。
図３、図４に示すように、本考案に係る搬送治具１０においては、ベースフレーム２１が左右にそれぞれ、フォークリフト１４の対となる爪１５、１６の載置部材１５ａ、１６ａが挿入される挿入部１７、１８と、挿入された爪１５、１６の取付け部材１５ｂ、１５ｂの前後移動を止める固定部１９、２０を有しているので、フォークリフト１４の爪１５、１６に対する着脱が容易であると共に、長尺重量貨物１３の運搬中及び荷下ろし時の脱落を防止することができる。
【００２２】
また、押えアーム２６が、支持部材２４に回動可能に軸支され、長尺重量貨物１３の上側面を前後から押圧する第１、第２の保持部材２７、２８を備え、長尺重量貨物１３を保持した状態の押えアーム２６は、固定手段２９により固定保持されるので、長尺重量貨物１３をベースフレーム２１上に保持して直ちに運搬することができると共に、運搬中及び停止時に長尺重量貨物１３がベースフレーム２１上で転がり、脱落するのを防止できる。更に、固定手段２９による押えアーム２６の固定保持を解除し、押えアーム２６を回動させることにより、長尺重量貨物１３の保持状態を容易に解除できるので、長尺重量貨物１３が目的地に到着してから荷下ろしが完了するまでに要する時間を短縮することができる。その結果、長尺重量貨物１３の搬送効率を向上させることが可能になる。
【００２３】
以上、本考案を、実施の形態を参照して説明してきたが、本考案は何ら上記した実施の形態に記載した構成に限定されるものではなく、実用新案登録請求の範囲に記載されている事項の範囲内で考えられるその他の実施の形態や変形例も含むものである。
更に、本実施の形態とその他の実施の形態や変形例にそれぞれ含まれる構成要素を組合わせたものも、本考案に含まれる。
【符号の説明】
【００２４】
１０：搬送治具、１１、１２：ラック、１３：長尺重量貨物（ランク＆コード）、１４：フォークリフト、１５：爪、１５ａ：載置部材、１５ｂ：取付け部材、１６：爪、１６ａ：載置部材、１６ｂ：取付け部材、１７、１８：挿入部、１９、２０：固定部、２１：ベースフレーム、２２、２３：ストッパー、２４：支持部材、２５：取付け手段、２６：押えアーム、２７：第１の保持部材、２８：第２の保持部材、２９：固定手段、３０：マスト、３１：バックレスト、３２：爪ストッパー、３３：支持板材、３４：爪ストッパーピン、３５：第１の連結部材、３６：第２の連結部材、３７：ベース材、３８：載置部、３９：位置決め部、４０：載置台、４１：第１の緩衝材、４２：支持台、４３：第２の緩衝材、４４：第１の柱材、４５：第２の柱材、４６：第１の取付け部、４７：第２の取付け部、４８：回動軸、４９：保持台、５０：当接部、５１：保持台、５２：当接部、５３：連結台、５４：手巻きウインチ、５５：ワイヤ、５６：フック、５７：固定ピン、５８：押えアーム側掛止部、５９：支持部材側掛止部、６０：水平部材、６１：可動性締結機構、６２：ボルト部材、６３：掛止部、６４：ピン、６５：切欠き、６６、６７：平座金、６８：圧縮ばね、６９：球面座、７０：ナット部材、７１、７２：レバー
【図１】
0003202445.tif 000003
【図２】
0003202445.tif 000004
【図３】
0003202445.tif 000005
【図４】
0003202445.tif 000006
【図５】
0003202445.tif 000007